【事件の表示】
　特願２００８−５５１３１３「インタラクティブアドバイザリシステム」拒絶査定不服審判事件〔平成１９年　７月２６日国際公開、ＷＯ２００７／０８４４５８、平成２１年　６月２５日国内公表、特表２００９−５２４１５０〕について、次のとおり審決する。
【結　論】
　本件審判の請求は、成り立たない。
【理　由】
第１　手続の経緯
　
　本願は，２００７年１月１６日（パリ条約による優先権主張外国庁受理２００６年１月１９日，米国）を国際出願日とする出願であって，平成２２年１月１２日に手続補正がなされ，平成２３年９月２８日付けで拒絶理由通知がなされ，平成２４年４月２日に手続補正がなされたが，同年１０月２５日付けで拒絶査定がなされ，これに対し，平成２５年３月５日に拒絶査定不服審判が請求されるとともに手続補正がなされ，当審において，同年５月２４日付けで審尋がなされたが，回答書は提出されなかったものである。
　
第２　平成２５年３月５日の手続補正の却下について
　
［補正却下の決定の結論］
　
　平成２５年３月５日の手続補正を却下する。
　
［理由］
１．補正の目的
　
　平成２５月３月５日の手続補正（以下，「本件補正」という。）により，特許請求の範囲の請求項１は次のとおりに補正された（下線は，審判請求人が付与したものである。）。
　
＜本件補正後の請求項１＞
「放送ネットワークから離れて位置する少なくとも１個人を探索するための方法であって、
　ユーザプロファイル基準、当該ユーザプロファイル基準の少なくとも一部が探索者に関連付けられたユーザプロファイル情報から選択される、を探索者に関連付けられたコミュニケータデバイスから受信するステップと、
　ユーザプロファイル基準を被探索者に関連付けられたコミュニケータデバイスから受信するステップと、
　前記探索者に関連付けられたユーザプロファイル基準を前記被探索者に関連付けられたユーザプロファイル基準とマッチングさせると共に、前記探索者に関連付けられたコミュニケータデバイスのリアルタイム位置と前記被探索者に関連付けられたコミュニケータデバイスのリアルタイム位置とをマッチングさせて、類似のユーザプロファイル基準を有すると共に、前記探索者に関連付けられたコミュニケータデバイスについて予め決定された空間的範囲に存在する複数の被探索者のデータセットを生成するステップと、
　前記類似のユーザプロファイル基準を有する複数の被探索者のデータセットを、前記探索者に関連付けられたユーザプロファイル基準と前記被探索者に関連付けられたユーザプロファイル基準とのマッチングに基づいて前記探索者に関連付けけられたコミュニケータデバイスに送信するステップと、
　
前記探索者に関連付けられたコミュニケータデバイスから被探索者に関連する情報を追加するステップと、
　を含む方法。」
　
　本件補正は，補正前の請求項１に記載された一連のステップの最後に，「前記探索者に関連付けられたコミュニケータデバイスから被探索者に関連する情報を追加するステップ」を追加するものであるから，請求項１に記載された発明特定事項に新たな発明特定事項を追加するものであって，発明特定事項を限定するものではない。また，この補正は，請求項の削除，誤記の訂正，明りょうでない記載の釈明を目的とするものでもない。
　したがって，本件補正は，平成１８年法律第５５号改正附則第３条第１項によりなお従前の例によるとされる同法による改正前の特許法第１７条の２第４項の規定に違反するので，同法第１５９条第１項において読み替えて準用する同法第５３条第１項の規定により却下すべきものである。
　
第３　本願発明
　
　平成２５年３月５日の手続補正は上記のとおり却下されたので，本願の請求項１に係る発明（以下，「本願発明」という。）は，平成２４年４月２日の手続補正により補正された特許請求の範囲の請求項１に記載された事項により特定される，次のとおりのものである。
　
＜本願発明＞
「放送ネットワークから離れて位置する少なくとも１個人を探索するための方法であって、
　ユーザプロファイル基準、当該ユーザプロファイル基準の少なくとも一部が探索者に関連付けられたユーザプロファイル情報から選択される、を探索者に関連付けられたコミュニケータデバイスから受信するステップと、
　ユーザプロファイル基準を被探索者に関連付けられたコミュニケータデバイスから受信するステップと、
　前記探索者に関連付けられたユーザプロファイル基準を前記被探索者に関連付けられたユーザプロファイル基準とマッチングさせると共に、前記探索者に関連付けられたコミュニケータデバイスのリアルタイム位置と前記被探索者に関連付けられたコミュニケータデバイスのリアルタイム位置とをマッチングさせて、類似のユーザプロファイル基準を有すると共に、前記探索者に関連付けられたコミュニケータデバイスについて予め決定された空間的範囲に存在する複数の被探索者のデータセットを生成するステップと、
　前記類似のユーザプロファイル基準を有する複数の被探索者のデータセットを、前記探索者に関連付けられたユーザプロファイル基準と前記被探索者に関連付けられたユーザプロファイル基準とのマッチングに基づいて前記探索者に関連付けけられたコミュニケータデバイスに送信するステップと、を含む方法。」
　
第４　引用文献
　
１．特開２００１−１７５７１８号公報
　
　原査定の拒絶の理由において引用された特開２００１−１７５７１８号公報（以下，「引用文献１」という。）には，次の事項が記載されている（下線は，当審において付与した。）。
　
Ａ．「【０００１】
【発明の属する技術分野】本発明は紹介システム及び紹介方法並びに紹介用プログラムを記録した記録媒体に関し、特に、利用者のプロファイル（ｐｒｏｆｉｌｅ）に基づいて紹介を行う紹介システム及び紹介方法並びに紹介用プログラムを記録した記録媒体に関する。」
　
Ｂ．「【００１０】そこで本発明の目的は、
利用者にプロファイルがマッチしかつその利用者の近傍に存在する他者を紹介することが可能な
紹介方法
　
Ｃ．「【００１６】同図を参照すると、
本発明の第１の実施の形態は、複数の利用者端末
と、利用者の紹介を行うサーバ２０と、この利用者端末１０とサーバ２０間の通信を行う無線通信網１とを含む
【００１７】
利用者端末１０は
利用者の現在位置の情報を取得してサーバ２０に通知する位置情報取得部１１と、利用者に対して情報を出力する利用者出力部１２とを含み利用者に携帯される
【００１８】
位置情報取得部１１は
位置情報を取得する
　
Ｄ．「【００２０】
サーバ２０は
利用者の位置情報を格納する位置情報格納部２２と、位置情報格納部２２に利用者の位置情報を登録する位置情報登録部２１と、利用者の個人情報であるプロファイルを格納する個人情報格納部２５と、個人情報格納部２５にプロファイルを登録する個人情報登録部２６と、位置情報格納部２２及び個人情報格納部２５に格納された情報に基づき、条件がマッチした利用者同士を検索する条件検索部２４と、条件検索部２４からの検索結果を利用者端末１０内の利用者出力部１２に通知する通知部２３とを含む
　
Ｅ．「【００２１】次に、プロファイルの構成について説明する。図２はプロファイルの構成の一例を示す図である。同図を参照すると、
プロファイルは
マッチングに用いる利用者の属性情報（個人情報）と、マッチングに用いる他者への条件情報（希望条件）と、マッチング方法への条件情報（検索条件）とを含んで構成される
　
Ｆ．「【００２３】
マッチングに用いる利用者の属性情報は
年収、学歴、性格、身長、体重、年齢、誕生日、性別、趣味
　
Ｇ．「【００２４】
マッチングに用いる他者への条件情報は、マッチングに用いる利用者の属性情報と同種の項目に関して、利用者が望む条件情報からなる
　
Ｈ．「【００２７】
マッチング方法への条件情報とは、他者を検索する際の方法に関する指定である。例えば、検索対象の範囲を指定可能である。検索対象の範囲の指定方法としては、半径２０ｍ以内、などの指定が可能である
　
Ｉ．「【００３０】次に本発明の第１の実施の形態の動作について詳細に説明する。図１を参照すると、
利用者は最初に、サーバ２０内の個人情報登録部２６により、個人のプロファイル情報を入力する。この処理は、利用者が直接行う
　
Ｊ．「【００３１】
プロファイルの登録を終えた利用者は、利用者端末１０を携帯して行動する
　
Ｋ．「【００３２】
位置情報取得部１１は、特定のタイミング毎に自己の位置情報と端末のＩＤを無線通信網１を介して、サーバ２０内の位置情報登録部２１に送信する。このタイミングとしては、一定時間毎、あるいは利用者が指定した時、などが考えられる
　
Ｌ．「【００３３】
条件検索部２４は、特定のタイミング毎に位置情報格納部２２と個人情報格納部２５内の情報よりマッチする利用者の組の検索処理を行う
マッチした組（マッチした双方の利用者端末１０）に対して通知部２３が通知処理を行う。これにより紹介処理が実行される。このタイミングとしては、一定時間毎、あるいは、位置情報格納部２２で新たな位置情報が受信された時、などが考えられる
【００３４】ここで、
マッチする組とは、互いの属性情報（個人情報）が、互いの条件情報（希望条件）を満たし、かつ、互いの位置間の距離が特定距離内である二者の組である
　
Ｍ．「【００４２】次に、（２）
マッチした組への通知処理について説明する
条件検索部２４はマッチすると判定された組を発見すると、その組への通知処理を通知部２３に要求する（Ｓ６１）。次に、通知部２３はマッチすると判定された組に対し、条件を満たす利用者が存在することを通知する
【００４３】例えば、夫々の利用者の利用者端末１０の利用者出力部１２を介して、
周辺に条件を満たす利用者がいることを音、振動、文字メッセージなどにより伝える。その通知を受けた夫々の利用者は周囲を探すことにより互いに相手を発見することが可能である。即ち、その通知を受けた利用者が周囲を探すしぐさ等から互いに相手を発見することができるのである
【００４４】又、通知部２３が利用者出力部１２を介して
互いの電話番号、名前など、相手と通信するための情報を通知してもよい
　
　前記Ａ．〜Ｍ．によれば，引用文献１には，次の発明（以下，「引用発明」という。）が記載されているといえる。
　
＜引用発明＞
「利用者にプロファイルがマッチしかつその利用者の近傍に存在する他者を紹介することが可能な紹介方法であって，
　複数の利用者端末と，利用者の紹介を行うサーバと，この利用者端末とサーバ間の通信を行う無線通信網とを用い，
　利用者はサーバに個人のプロファイル情報を直接入力し，当該プロファイル情報は，年収，学歴，性格，身長，体重，年齢，誕生日，性別，趣味等の利用者の属性情報（個人情報）と，利用者の属性情報と同種の項目に関して利用者が望む他者への条件情報（希望条件）と，半径２０ｍ以内などの検索対象の範囲を指定する条件情報（検索条件）とを含んで構成され，
　プロファイル情報の登録を終えた利用者は，利用者端末を携帯して行動し，
　利用者端末は，一定時間毎あるいは利用者が指定した時などの特定のタイミング毎に，自己の位置情報をサーバに送信し，
　サーバは，一定時間毎あるいは新たな位置情報が受信された時などの特定のタイミング毎に，互いの属性情報（個人情報）が，互いの条件情報（希望条件）を満たし，かつ，互いの位置間の距離が特定距離内である二人の利用者の検索処理を行い，
　サーバは，マッチした二人の利用者端末に対して通知を行い，利用者端末を介して周辺に条件を満たす利用者がいることを音，振動，文字メッセージなどにより伝え，
　その通知を受けた夫々の利用者は，周囲を探すしぐさ等から互いに相手を発見し，
　サーバは，利用者端末を介して互いの電話番号，名前など，相手と通信するための情報を通知することもできる，紹介方法。」
　
２．特開２０００−１６７２３２号公報
　
　原査定の拒絶の理由において引用された特開２０００−１６７２３２号公報（以下，「引用文献２」という。）には，次の事項が記載されている（下線は，当審において付与した。）。
　
Ｎ．「【０００１】
【発明の詳細な説明】
【発明の属する技術分野】本発明は、戸外や大規模施設内などでの
出会いたい人との偶然の出会いを支援するためのシステム
　
Ｏ．「【０００７】・・・（中略）・・・また、本発明において、
「ユーザーに関するキー・データ」とは、ユーザー自身のキー・データ
である
この「キー・データ」には
趣味
などの様々なデータが含まれる
　
Ｐ．「【０００８】まず、本発明の全体像を述べると、次のとおりである。・・・（中略）・・・前記受信手段により受信した識別データにより識別される他のユーザーに関するデータであって「前記他のユーザーのキー・データ」（前記
他のユーザーのキー・データ
が
ユーザーの「自己に関するキー・データ」と一致又は関連しているものがあるかどうかを判定するためのマッチング手段
前記ユーザーと他のユーザーとの間で「キー・データ」が一致又は関連するものがあるとき、そのことを前記のユーザーに知らせるための告知手段と、を備えたことを特徴とする（「ユーザーが近くに居れば会いたいと思う人」が実際にユーザーの近くに居るとき、そのことをユーザーに知らせて実際にその人に会うことができるように支援するための）出会い支援システム
ユーザーが携帯する携帯型通信端末に備えられ、そのユーザーの現在位置を特定するための現在位置特定手段を備え
　
Ｑ．「【００２２】また、マッチング部２５は、前記キー・データ等送受信部２５からのキー・データ及び現在位置データを総合的に勘案して、
ユーザー同士を結び付けることも行う。すなわち、例えば、ユーザー１に関するキー・データが「クラシック音楽鑑賞が趣味」となっており、他のユーザー２のキー・データが「音楽鑑賞が趣味」となっており
両ユーザーの現在位置データが極めて近接しているときは、両ユーザーに、「趣味が類似している人が極めて近接した位置に居る」ということを、他のユーザーの現在位置データ及び電話番号などのキー・データや現在位置データ、メッセージなどと共に、送信する
　
　前記Ｎ．〜Ｑ．によれば，引用文献２には，次の事項が記載されている。
　
＜引用文献２の記載事項＞
「ユーザーの現在位置を，ユーザーが携帯する携帯型通信端末により特定し，
　ユーザー自身のキー・データが，他のユーザ自身のキー・データと一致又は関連するかをマッチング手段により判定し，
　マッチングした両ユーザーの現在位置が近接しているとき，そのことを告知手段により両ユーザーに知らせて実際にその人に会うことができるように支援し，
　例えば，キー・データは趣味であり，趣味が類似している人が極めて近接した位置にいることを，他のユーザーのキー・データや現在位置データ，メッセージなどと共に両ユーザーに知らせ，ユーザー同士を結び付ける，出会い支援システム。」
　
第５　対比
　
　次に，本願発明と引用発明とを対比する。
　
（１）・引用発明の「サーバ」及び「無線通信網」は，全体として，本願発明の「放送ネットワーク」に相当する。
　
・引用発明の「利用者」は，本願発明の「放送ネットワークから離れて位置する少なくとも１個人」に相当する。
　
・引用発明の「互いの属性情報（個人情報）が，互いの条件情報（希望条件）を満たし，かつ，互いの位置間の距離が特定距離内である二人の利用者の検索処理」は，本願発明の「放送ネットワークから離れて位置する少なくとも１個人を探索する」ことに相当する。
　
・したがって，引用発明の「紹介方法」は，本願発明の「放送ネットワークから離れて位置する少なくとも１個人を探索するための方法」に相当する。
　
（２）・引用発明の「利用者」は，他の利用者を探索する「探索者」でもあり，他の利用者から探索される「被探索者」でもある。したがって，「利用者」は，本願発明の「探索者」「被探索者」のいずれにも相当し，ある利用者が「探索者」であるとき，他の利用者は「被探索者」であるといえる。
　
・引用発明の「利用者端末」は，本願発明の「探索者に関連付けられたコミュニケータデバイス」及び「被探索者に関連付けられたコミュニケータデバイス」に相当する。
　
（３）・本願発明の「ユーザプロファイル基準、当該ユーザプロファイル基準の少なくとも一部が探索者に関連付けられたユーザプロファイル情報から選択される」について検討する。本願明細書には，上記ユーザプロファイル基準に関して次の記載がある（下線は，当審において付与した。）。
　
「【００７５】
　例えば、探索者は探索者コミュニケータデバイス１１ｃを用いて、例えば個人的特徴（すなわち身長、体重、年齢、目の色、髪の色、性別、人種、職業等）、性格特性（すなわち、社交的、付き合いで飲む人、非喫煙者等）、写真、探索者による音声表示、探索者による映像表示、探索者による音声／映像表示、ボックス８４ｃにより表されるようなその他のユーザ情報および／または基準）等の
彼または彼女の探索者情報および／または基準を
ユーザプロファイル内に入力する
被探索者の望ましい基準
探索者ユーザプロファイル基準
探索者所望基準
探索者基準
　
　上記記載によれば，探索者に関連する基準には，探索者自身のプロファイルである「探索者ユーザプロファイル基準」と，被探索者の望ましい基準である「探索者所望基準」とがあり，この２つの基準は区別されている。本願発明の「ユーザプロファイル基準、当該ユーザプロファイル基準の少なくとも一部が探索者に関連付けられたユーザプロファイル情報から選択される」は，このうちの「探索者ユーザプロファイル基準」に相当するから，探索者自身のプロファイル情報のことと解される。
　
・一方，引用発明の「利用者の属性情報（個人情報）」は，利用者自身のプロファイル情報であるから，利用者が探索者である場合の「利用者の属性情報（個人情報）」が，本願発明の「ユーザプロファイル基準、当該ユーザプロファイル基準の少なくとも一部が探索者に関連付けられたユーザプロファイル情報から選択される」に相当する。
　
・引用発明における「利用者はサーバに個人のプロファイル情報を直接入力し，当該プロファイル情報には，年収，学歴，性格，身長，体重，年齢，誕生日，性別，趣味等の利用者の属性情報（個人情報）と，利用者の属性情報と同種の項目に関して利用者が望む他者への条件情報（希望条件）と，半径２０ｍ以内などの検索対象の範囲を指定する条件情報（検索条件）とを含んで構成され」は，サーバが，利用者（探索者）から利用者の属性情報を入力するステップといえる。
　なお，当該属性情報を利用者端末から受信するかどうかは不明である。
　したがって，引用発明の上記ステップと，本願発明の「ユーザプロファイル基準、当該ユーザプロファイル基準の少なくとも一部が探索者に関連付けられたユーザプロファイル情報から選択される、を探索者に関連付けられたコミュニケータデバイスから受信するステップ」は，「ユーザプロファイル基準，当該ユーザプロファイル基準の少なくとも一部が探索者に関連付けられたユーザプロファイル情報から選択される，を探索者から入力するステップ」の点で共通する。
　
（４）・本願発明における，被探索者の「ユーザプロファイル基準」について検討する。本願の明細書には，被探索者の「ユーザプロファイル基準」に関して次の記載がある（下線は，当審において付与した。）。
　
「【００７７】
  それぞれの
被探索者についてのユーザプロファイルは
被探索者の個人的特徴に関する情報を含んでいる
被探索者のユーザプロファイルは
その他のユーザ情報および／または基準等を追加で含むこともできる
　
　上記記載によれば，本願発明における，被探索者の「ユーザプロファイル基準」は，被探索者自身のプロファイル情報である。
　前記のとおり，引用発明の「利用者の属性情報（個人情報）」は，利用者自身のプロファイル情報であるから，本願発明における被探索者の「ユーザプロファイル基準」に相当する。
　
・したがって，引用発明における，利用者が被探索者である場合の「利用者はサーバ２０に個人のプロファイル情報を直接入力し，当該プロファイル情報には，年収，学歴等の利用者の属性情報（個人情報）と，利用者の属性情報と同種の項目に関して利用者が望む他者への条件情報（希望条件）が含まれ」と，本願発明の「ユーザプロファイル基準を被探索者に関連付けられたコミュニケータデバイスから受信するステップ」は，「ユーザプロファイル基準を被探索者から入力するステップ」の点で共通する。
　
（５）・前記（３）（４）のとおり，引用発明の「利用者の属性情報（個人情報）」は，本願発明の「探索者に関連付けられたユーザプロファイル基準」及び「被探索者に関連付けられたユーザプロファイル基準」に相当する。
　
・引用発明の「利用者の属性情報と同種の項目に関して利用者が望む他者への条件情報（希望条件）」と，本願発明の「探索者に関連付けられたユーザプロファイル基準」は，「探索者に関連付けられた基準」の点で共通する。
　なお，本願発明の上記ユーザプロファイル基準は，探索者自身のプロファイル情報であるのに対し，引用発明の条件情報は，利用者が望む他者のプロファイル情報，すなわち，探索者が所望する被探索者のプロファイル情報（前記（３）において検討した「探索者所望基準」に相当する。）である点で相違する。
　
・引用発明における「互いの属性情報（個人情報）が，互いの条件情報（希望条件）を満た」すかどうかの検索処理と，本願発明における「前記探索者に関連付けられたユーザプロファイル基準を前記被探索者に関連付けられたユーザプロファイル基準とマッチングさせる」は，「前記探索者に関連付けられた基準を前記被探索者に関連付けられたユーザプロファイル基準とマッチングさせる」の点で共通する。
　
（６）引用発明は，半径２０ｍ以内などの特定距離が指定され，検索処理において「互いの位置間の距離が特定距離内である」と判断されたとき，マッチした二人の利用者は互いに相手を発見できる距離内にいることになる。したがって，「互いの位置」は，マッチした時点における利用者の位置であり，本願発明の「リアルタイム位置」に相当する。
　また，「互いの位置」は，利用者端末からの位置情報に基づいて特定されるから，「コミュニケータデバイスのリアルタイム位置」といえる。
　したがって，引用発明における「互いの位置間の距離が特定距離内である二人の利用者の検索処理」は，本願発明の「前記探索者に関連付けられたコミュニケータデバイスのリアルタイム位置と前記被探索者に関連付けられたコミュニケータデバイスのリアルタイム位置とをマッチングさせ」に相当する。
　
（７）・引用発明の「サーバは，マッチした二人の利用者端末に対して通知を行い，利用者端末を介して周辺に条件を満たす利用者がいることを音、振動、文字メッセージなどにより伝え」，及び，「サーバは，利用者端末を介して互いの電話番号、名前など、相手と通信するための情報を通知することもできる」は，一方の利用者（被探索者）の電話番号、名前などのデータセットを生成する手順と，そのデータセットを他方の利用者（探索者）の利用者端末に送信する手順といえる。
　
・引用発明における，一方の利用者（被探索者）の電話番号、名前などのデータセットを生成する手順と，本願発明の「類似のユーザプロファイル基準を有すると共に、前記探索者に関連付けられたコミュニケータデバイスについて予め決定された空間的範囲に存在する複数の被探索者のデータセットを生成するステップ」は，「類似の基準を有すると共に、前記探索者に関連付けられたコミュニケータデバイスについて予め決定された空間的範囲に存在する被探索者のデータセットを生成するステップ」の点で共通する。
　
・また，引用発明における，電話番号、名前などのデータセットを他方の利用者（探索者）の利用者端末に送信する手順と，本願発明の「前記類似のユーザプロファイル基準を有する複数の被探索者のデータセットを、前記探索者に関連付けられたユーザプロファイル基準と前記被探索者に関連付けられたユーザプロファイル基準とのマッチングに基づいて前記探索者に関連付けけられたコミュニケータデバイスに送信するステップ」は，「前記類似の基準を有する被探索者のデータセットを，前記探索者に関連付けられた基準と前記被探索者に関連付けられたユーザプロファイル基準とのマッチングに基づいて前記探索者に関連付けけられたコミュニケータデバイスに送信するステップ」の点で共通する。
　
　前記（１）〜（７）によれば，本願発明と引用発明は次の点で一致する。
　
＜一致点＞
「放送ネットワークから離れて位置する少なくとも１個人を探索するための方法であって，
　ユーザプロファイル基準，当該ユーザプロファイル基準の少なくとも一部が探索者に関連付けられたユーザプロファイル情報から選択される，を探索者から入力するステップと，
　ユーザプロファイル基準を被探索者から入力するステップと，
　前記探索者に関連付けられた基準を前記被探索者に関連付けられたユーザプロファイル基準とマッチングさせると共に，前記探索者に関連付けられたコミュニケータデバイスのリアルタイム位置と前記被探索者に関連付けられたコミュニケータデバイスのリアルタイム位置とをマッチングさせて，類似の基準を有すると共に、前記探索者に関連付けられたコミュニケータデバイスについて予め決定された空間的範囲に存在する被探索者のデータセットを生成するステップと，
　前記類似の基準を有する被探索者のデータセットを，前記探索者に関連付けられた基準と前記被探索者に関連付けられたユーザプロファイル基準とのマッチングに基づいて前記探索者に関連付けけられたコミュニケータデバイスに送信するステップと，を含む方法。」
　
　そして，本願発明と引用発明は，次の点で相違する。
＜相違点１＞
　「探索者から入力するステップ」が，本願発明では「探索者に関連付けられたコミュニケータデバイスから受信するステップ」であるのに対し，引用発明では，利用者端末（探索者に関連付けられたコミュニケータデバイス）から受信するかどうか不明な点。
　
＜相違点２＞
　「被探索者から入力するステップ」が，本願発明では「被探索者に関連付けられたコミュニケータデバイスから受信するステップ」であるのに対し，引用発明では，利用者端末（被探索者に関連付けられたコミュニケータデバイス）から受信するかどうか不明な点。
　
＜相違点３＞
　「探索者に関連付けられた基準」が，本願発明では「探索者に関連付けられたユーザプロファイル基準」，すなわち，探索者自身のユーザプロファイル情報であるのに対し，引用発明では，「利用者の属性情報と同種の項目に関して利用者が望む他者への条件情報（希望条件）」，すなわち，探索者が所望する被探索者の基準である点。
　
＜相違点４＞
　「被探索者のデータセット」が，本願発明では「複数」あるのに対し，引用発明では「複数」あるのかどうか不明な点。
　
第６　判断
　
　＜相違点１＞＜相違点２＞について
　引用発明の利用者端末は，個々の利用者に携帯され，サーバと通信することが可能である。
　また，コンピュータの技術分野において，サーバにデータを入力するために利用者端末を使用することは周知技術である。
　したがって，引用発明において，利用者が，サーバに個人のプロファイル情報を入力するために利用者端末を使用し，すなわち，サーバが，ユーザプロファイル基準を，探索者に関連付けられたコミュニケータデバイスと，被探索者に関連付けられたコミュニケータデバイスとから受信して，前記相違点１，２に係る構成を備えることは容易に想到し得ることである。
　
＜相違点３＞について
　引用文献１には，マッチングに用いる利用者の属性情報と条件情報について，次の事例が記載されている。
「【００２３】マッチングに用いる利用者の属性情報は、個人の種々の属性を表す。属性の項目の例としては、年収、学歴、性格、身長、体重、年齢、誕生日、性別、趣味などが考えられる。図２には利用者の属性情報の一例として、「性別：男性，年齢：３５歳，学歴：大卒，職業：会社員，年収：８００万円，身長：１７０ｃｍ，体重：６５ｋｇ，趣味：スキー」が表示されている。
【００２４】マッチングに用いる他者への条件情報は、マッチングに用いる利用者の属性情報と同種の項目に関して、利用者が望む条件情報からなる。図２には他者への条件情報の一例として、「性別：女性（必須），年齢：２５〜４５歳（必須），学歴：大卒，職業：条件なし，年収：条件なし，身長：１７０ｃｍ以下（必須），体重：条件なし，趣味：条件なし」が表示されている。」
　上記事例によれば，引用発明が異性や交際相手の紹介を想定していることは明らかであり，このような紹介の場合に，利用者が，利用者自身の趣味と同じ趣味を持つ異性や交際相手を望むことはごく普通のことである。
　また，引用文献２には，ユーザー自身のキー・データ（趣味）が，他のユーザ自身のキー・データ（趣味）と一致又は関連するかをマッチング手段により判定し，「趣味が類似している人が極めて近接した位置にいることを，他のユーザーのキー・データや現在位置データ，メッセージなどと共に両ユーザーに知らせ，ユーザー同士を結び付ける，出会い支援システム」が記載されており，ユーザー自身のキー・データ（属性情報，ユーザプロファイル情報）が，他のユーザ自身のキー・データと一致又は関連するかをマッチング手段により判定する出会い支援システムも周知である。
　したがって，引用発明において，互いの属性情報（ユーザプロファイル情報）が一致する二人の利用者を検索することも格別困難ではなく，「前記探索者に関連付けられたユーザプロファイル基準を前記被探索者に関連付けられたユーザプロファイル基準とマッチング」させ，上記相違点３に係る構成を備えることは容易に想到し得ることである。
　
＜相違点４＞について
　引用発明が，二人以上の多数の利用者に対して使用されることは明らかであるから，ある利用者にマッチする他者が，特定距離内に複数人存在する場合もあることは普通に想定されることである。
　したがって，引用発明において，ある利用者にマッチする他者が特定距離内に複数人存在する場合に，複数の他者に関する電話番号，名前など（複数の被探索者のデータセット）を利用者端末（探索者に関連付けけられたコミュニケータデバイス）に送信し，上記相違点４に係る構成を備えることは容易に想到し得ることである。
　
　そして，本願発明の作用効果も，引用発明，引用文献２の記載事項及び周知技術から当業者が予測できる範囲のものである。
　
第７　むすび
　
　以上のとおり，本願発明は，引用発明，引用文献２の記載事項及び周知技術に基いて当業者が容易に発明をすることができたものであり，特許法第２９条第２項の規定により特許を受けることができないから，他の請求項について検討するまでもなく，本願は拒絶すべきものである。 
　よって，結論のとおり審決する。